(57)【要約】【課題】所定量以内において任意の量の液を噴射させることができること。【解決手段】この発明は、容器部材２と、噴霧部材３と、液供給管４と、エアポンプ５と、制御部材１２と、第１空気供給管６と、第２空気供給管７と、空気分岐部材８と、弁部材９と、を備える。この発明は、エアポンプ５の非駆動時において、容器部材２中の液１００を弁部材９を経て液供給管４の中間部分４２中に所定量供給する。この発明は、エアポンプ５の駆動時において、液供給管４の中間部分４２中に所定量溜められている液１００を、噴霧部材３に供給して、噴霧部材３から霧１０３として手１３に噴射させる。この結果、この発明は、所定量以内において任意の量の液１００を噴射させることができる。【選択図】        図１
2018083133.tif 000002
【特許請求の範囲】
【請求項１】
液を入れる容器部材と、
液を霧状にしてその霧を外部に噴射させる噴霧部材と、
一端が前記噴霧部材に接続され、中間部分が前記容器部材の下部分に接続され、前記中間部分において前記容器部材中の液を所定量溜める液供給管と、
駆動時に空気を送るエアポンプと、
前記エアポンプの駆動を制御する制御部材と、
一端が前記噴霧部材に接続され、かつ、他端が前記エアポンプに接続され、前記エアポンプからの空気を前記噴霧部材に供給する第１空気供給管と、
一端が前記液供給管の他端に接続され、かつ、他端が前記エアポンプに接続され、前記エアポンプからの空気を前記液供給管に供給して、前記液供給管の中間部分中の液を前記噴霧部材に供給する第２空気供給管と、
前記エアポンプと前記第１空気供給管の他端および前記第２空気供給管の他端との接続部分に設けられ、前記エアポンプからの空気を前記第１空気供給管と前記第２空気供給管とに分岐供給させる空気分岐部材と、
前記容器部材の下部分と前記液供給管の中間部分との接続部分に設けられ、前記エアポンプの非駆動時には前記容器部材中の液の自重で開き、前記エアポンプの駆動時には閉じる弁部材と、
を備える、
ことを特徴とするディスペンサ。
【請求項２】
前記第２空気供給管の断面積は、前記第１空気供給管の断面積よりも大きい、
ことを特徴とする請求項１に記載のディスペンサ。
【請求項３】
前記液供給管の一端側の少なくとも一部分、および、前記液供給管の他端と前記第２空気供給管の一端との接続部分は、前記容器部材中の液面よりも上位に位置する、
ことを特徴とする請求項１または２に記載のディスペンサ。
【請求項４】
前記液供給管の一端側部分の断面積は、前記液供給管の中間部分の断面積よりも小さい、
ことを特徴とする請求項１〜３のいずれか１項に記載のディスペンサ。
【請求項５】
前記噴霧部材は、液と空気とを混合する混合室と、前記液供給管の一端と前記混合室とを連通させる液連通路と、前記第１空気供給管の一端と前記混合室とを連通させる空気連通路と、前記混合室に連通していて霧を噴射させる噴射口と、を有し、
前記混合室の前記噴射口側の断面積は、前記混合室の前記液連通路および前記空気連通路側の断面積よりも小さい、
ことを特徴とする請求項１〜４のいずれか１項に記載のディスペンサ。
【請求項６】
前記液連通路の前記混合室側の出口の断面積は、前記液連通路の前記液供給管側の入口の断面積よりも小さい、
ことを特徴とする請求項５に記載のディスペンサ。
【請求項７】
前記液連通路の前記混合室側の出口の断面積は、前記空気連通路の前記混合室側の出口の断面積よりも小さい、
ことを特徴とする請求項５または６に記載のディスペンサ。
【請求項８】
前記液連通路の前記混合室側の出口から前記噴射口までの距離は、前記空気連通路の前記混合室側の出口から前記噴射口までの距離よりも小さい、
ことを特徴とする請求項５〜７のいずれか１項に記載のディスペンサ。
【請求項９】
前記制御部材は、
前記噴霧部材に近づいた対象物を検出して検出信号を出力する検出器と、
前記検出器から出力された前記検出信号を入力して前記検出信号に基づいて、前記エアポンプを駆動させる駆動信号を前記エアポンプに出力する制御部と、
を有する、
ことを特徴とする請求項１〜８のいずれか１項に記載のディスペンサ。
【請求項１０】
前記空気分岐部材のうち前記エアポンプに対して反対側に設けられ、開状態の時には、前記エアポンプからの空気を前記空気分岐部材を介して前記第１空気供給管と前記第２空気供給管とに分岐させ、閉状態の時には、前記エアポンプからの空気を前記第１空気供給管に送らずに前記第２空気供給管に送る第１空気開閉弁と、
前記容器部材中の液面よりも上位に位置する前記液供給管の他端と前記第２空気供給管の一端との接続部分に設けられ、閉状態の時には、前記容器部材中と前記液供給管中および前記第２空気供給管中とが非連通状態であり、開状態の時には、前記容器部材中と前記液供給管中および前記第２空気供給管中とが連通状態である第２空気開閉弁と、
一端が、前記液供給管の中間部分から一端までの部分であって前記容器部材中の液面よりも上位に位置する箇所に、接続された泡供給管と、
前記液供給管と前記泡供給管との接続部分に設けられ、第１位置に切り換えられた時には、前記液供給管の中間部分中の液を前記液供給管の一端側部分中に供給し、第２位置に切り換えられた時には、前記液供給管の中間部分中において液と空気との混合により発泡した泡を前記泡供給管中に供給する液切換弁と、
前記泡供給管の他端に設けられ、前記泡供給管からの泡を外部に吐出させる泡吐出部材と、
を備える、
ことを特徴とする請求項１〜９のいずれか１項に記載のディスペンサ。
【発明の詳細な説明】
【技術分野】
【０００１】
この発明は、液を霧状にして噴射させるディスペンサに関する。
【背景技術】
【０００２】
液を霧状にして噴射させるディスペンサとしては、たとえば、特許文献１に示すものがある。特許文献１の自動・腕・手・指・消毒機は、架台の中を噴霧室と動力室に分け、噴霧室にセンサおよび噴射ノズルを設け、動力室に消毒液貯蔵槽、エアー圧送装置および制御機を設置し、噴射ノズルと消毒液貯蔵槽・エアー圧送装置とにパイプをそれぞれ連結したものである。特許文献１の自動・腕・手・指・消毒機は、手を噴霧室に挿入すると、センサが手を感知し、エアーがエアー圧送装置から噴射ノズルに圧送され、消毒液が負圧により消毒液貯蔵槽から吸い出されて噴口から霧状に手に噴射される。
【先行技術文献】
【特許文献】
【０００３】
【特許文献１】実開平７−４４６５１号公報
【発明の概要】
【発明が解決しようとする課題】
【０００４】
しかしながら、特許文献１の自動・腕・手・指・消毒機は、センサが手を感知している間、エアー圧送装置が駆動し続けて、消毒液貯蔵槽の消毒液が噴口から霧状に手に噴出され続ける。このため、特許文献１の自動・腕・手・指・消毒機は、所定量以上の量の消毒液が霧状に噴射される場合があり、所定量以内において任意の量の消毒液を噴射させることができない。
【０００５】
この発明が解決しようとする課題は、所定量以内において任意の量の液を噴射させることができるディスペンサを提供することにある。
【課題を解決するための手段】
【０００６】
この発明のディスペンサは、液を入れる容器部材と、液を霧状にしてその霧を外部に噴射させる噴霧部材と、一端が噴霧部材に接続され、中間部分が容器部材の下部分に接続され、中間部分において容器部材中の液を所定量溜める液供給管と、駆動時に空気を送るエアポンプと、エアポンプの駆動を制御する制御部材と、一端が噴霧部材に接続され、かつ、他端がエアポンプに接続され、エアポンプからの空気を噴霧部材に供給する第１空気供給管と、一端が液供給管の他端に接続され、かつ、他端がエアポンプに接続され、エアポンプからの空気を液供給管に供給して、液供給管の中間部分中の液を噴霧部材に供給する第２空気供給管と、エアポンプと第１空気供給管の他端および第２空気供給管の他端との接続部分に設けられ、エアポンプからの空気を第１空気供給管と第２空気供給管とに分岐供給させる空気分岐部材と、容器部材の下部分と液供給管の中間部分との接続部分に設けられ、エアポンプの非駆動時には容器部材中の液の自重で開き、エアポンプの駆動時には閉じる弁部材と、を備える、ことを特徴とする。
【０００７】
この発明のディスペンサは、第２空気供給管の断面積が、第１空気供給管の断面積よりも大きい、ことが好ましい。
【０００８】
この発明のディスペンサは、液供給管の一端側の少なくとも一部分、および、液供給管の他端と第２空気供給管の一端との接続部分が、容器部材中の液面よりも上位に位置する、ことが好ましい。
【０００９】
この発明のディスペンサは、液供給管の一端側部分の断面積が、液供給管の中間部分の断面積よりも小さい、ことが好ましい。
【００１０】
この発明のディスペンサは、噴霧部材が、液と空気とを混合する混合室と、液供給管の一端と混合室とを連通させる液連通路と、第１空気供給管の一端と混合室とを連通させる空気連通路と、混合室に連通していて霧を噴射させる噴射口と、を有し、混合室の噴射口側の断面積が、混合室の液連通路および空気連通路側の断面積よりも小さい、ことが好ましい。
【００１１】
この発明のディスペンサは、液連通路の混合室側の出口の断面積が、液連通路の液供給管側の入口の断面積よりも小さい、ことが好ましい。
【００１２】
この発明のディスペンサは、液連通路の混合室側の出口の断面積が、空気連通路の混合室側の出口の断面積よりも小さい、ことが好ましい。
【００１３】
この発明のディスペンサは、液連通路の混合室側の出口から噴射口までの距離が、空気連通路の混合室側の出口から噴射口までの距離よりも小さい、ことが好ましい。
【００１４】
この発明のディスペンサは、制御部材が、噴霧部材に近づいた対象物を検出して検出信号を出力する検出器と、検出器から出力された検出信号を入力して検出信号に基づいて、エアポンプを駆動させる駆動信号をエアポンプに出力する制御部と、を有する、ことが好ましい。
【００１５】
この発明のディスペンサは、空気分岐部材のうちエアポンプに対して反対側に設けられ、開状態の時には、エアポンプからの空気を空気分岐部材を介して第１空気供給管と第２空気供給管とに分岐させ、閉状態の時には、エアポンプからの空気を第１空気供給管に送らずに第２空気供給管に送る第１空気開閉弁と、容器部材中の液面よりも上位に位置する液供給管の他端と第２空気供給管の一端との接続部分に設けられ、閉状態の時には、容器部材中と液供給管中および第２空気供給管中とが非連通状態であり、開状態の時には、容器部材中と液供給管中および第２空気供給管中とが連通状態である第２空気開閉弁と、一端が、液供給管の中間部分から一端までの部分であって容器部材中の液面よりも上位に位置する箇所に、接続された泡供給管と、液供給管と泡供給管との接続部分に設けられ、第１位置に切り換えられた時には、液供給管の中間部分中の液を液供給管の一端側部分中に供給し、第２位置に切り換えられた時には、液供給管の中間部分中において液と空気との混合により発泡した泡を泡供給管中に供給する液切換弁と、泡供給管の他端に設けられ、泡供給管からの泡を外部に吐出させる泡吐出部材と、を備える、ことが好ましい。
【発明の効果】
【００１６】
この発明のディスペンサは、液の浪費を防ぐことができる。
【図面の簡単な説明】
【００１７】
【図１】図１は、この発明にかかるディスペンサの実施形態１を示す概略縦断面図（概略垂直断面図）である。
【図２】図２は、弁部材が開状態の時を示す一部拡大概略縦断面図（一部拡大概略垂直断面図）である。
【図３】図３は、弁部材が閉状態の時を示す一部拡大概略縦断面図（一部拡大概略垂直断面図）である。
【図４】図４は、噴霧部材を示す一部拡大概略縦断面図（一部拡大概略垂直断面図）である。
【図５】図５は、弁部材を示す斜視図である。
【図６】図６は、弁部材を示す側面図（図５におけるＶＩ矢視図）である。
【図７】図７は、使用状態を示す側面図である。
【図８】図８は、停止状態を示す上側から見た斜視図である。
【図９】図９は、本体をトレーから取り外した状態を示す底側から見た斜視図である。
【図１０】図１０は、本体の容器部材から外蓋部材を取り外した状態を示す上側から見た斜視図である。
【図１１】図１１は、本体の容器部材から内蓋部材を取り外し、かつ、液を容器部材中に入れる状態を示す上側から見た斜視図である。
【図１２】図１２は、容器部材、エアポンプおよび制御部材を示すブロック図である。
【図１３】図１３は、この発明にかかるディスペンサの実施形態２を示す概略縦断面図（概略垂直断面図）である。
【発明を実施するための形態】
【００１８】
以下、この発明にかかるディスペンサの実施形態（実施例）の２例を図面に基づいて詳細に説明する。なお、図中、実線矢印は、液１００、１００Ａを示す。破線は、霧１０３を示す。一点鎖線および二点鎖線は、空気１０４を示す。三点鎖線は、泡１０５を示す。
【００１９】
（実施形態１の構成の説明）
図１〜図１２は、この発明にかかるディスペンサの実施形態１を示す。以下、この実施形態１にかかるディスペンサ１の構成について説明する。
【００２０】
（ディスペンサ１の説明）
この実施形態１にかかるディスペンサ１は、液１００を霧状にして噴射させるものである。この実施形態１にかかるディスペンサ１に使用される液１００は、この例では、消毒用アルコールである。なお、液１００としては、アルコールなどの消毒液以外に、オーデコロンなどの芳香液、化粧液、その他の液であって、揮発性の液あるいは液剤である。この液１００は、市販品であって、ディスペンサ１と別個の容器１０１中に収容されている。
【００２１】
ディスペンサ１は、図７、図８に示すように、本体１０と、トレー１１と、を備える。本体１０は、図１、図１２に示すように、容器部材２と、噴霧部材３と、液供給管４と、エアポンプ５と、制御部材１２と、第１空気供給管６と、第２空気供給管７と、空気分岐部材８と、弁部材９と、を備える。トレー１１の上面の両端部には、嵌合凹部１１０、受凹部１１１が設けられている。嵌合凹部１１０には、本体１０の底部分（底蓋部２５）が着脱可能に嵌合される。
【００２２】
（容器部材２の説明）
容器部材２は、図１に示すように、容器部（タンク部）２０と、密閉蓋部２１と、内蓋部２２と、外蓋部２３と、底部２４と、底蓋部２５と、収納部２６と、第１管部２７と、第２管部２８と、からなる。
【００２３】
容器部２０は、上面が開口した中空状の円筒形状をなす。この容器部２０中には、液１００が入る。図２、図３に示すように、容器部２０の下面閉塞部には、円筒形状の筒部２００が一体に設けられている。筒部２００の底には、円形の孔２０１が設けられている。
【００２４】
密閉蓋部２１は、図１、図８、図１０、図１１に示すように、円板形状をなす。密閉蓋部２１は、容器部２０の上面開口部の全周縁に取り付けられている。密閉蓋部２１と容器部２０との取り付けは、固定式でも着脱式でも良い。密閉蓋部２１には、凸部２１０が中心部分から径方向に一体に設けられている。密閉蓋部２１の凸部２１０に対して反対側の部分には、繭形状の注入口２１１が設けられている。
【００２５】
この注入口２１１の下側の縁は、容器部２０中が液１００で満杯状態か否かを判断する目安となる。すなわち、図１１に示すように、液１００を容器１０１から容器部２０中に注入する際に、容器部２０中の液１００の上面（以下、「液面」と称する）１０２が注入口２１１の下側の縁に達していれば、容器部２０中が液１００で満杯状態であると判断することができる（図１を参照）。なお、容器部２０中の液面１０２が注入口２１１の下側の縁に達していなければ、容器部２０中が液１００で満杯でない状態である。
【００２６】
内蓋部２２は、図１、図１０に示すように、繭板形状をなす。内蓋部２２は、密閉蓋部２１の注入口２１１の全周縁に着脱可能にかつ密閉可能に取り付けられている。外蓋部２３は、図１、図７〜図９に示すように、高さが低く下面が開口した中空状の円筒形状をなす。外蓋部２３には、切欠２３０が密閉蓋部２１の凸部２１０に対応して設けられている。外蓋部２３は、内蓋部２２を覆って、密閉蓋部２１に着脱可能にかつ密閉可能に取り付けられている。このとき、外蓋部２３の切欠２３０の全周縁と密閉蓋部２１の凸部２１０の壁面とが相互に嵌合している。容器部２０と密閉蓋部２１との間、密閉蓋部２１と外蓋部２３との間および密閉蓋部２１と内蓋部２２との間は、容器部２０中の液１００が容器部２０外に漏れるのを防ぐ水密性が保たれ、かつ、容器部２０の内外の通気性が確保されている。
【００２７】
底部２４は、図１、図７〜図９に示すように、上面が開口した中空状の円筒形状をなす。底部２４は、容器部２０の下面閉塞部の全周縁に嵌合により取り付けられている。底部２４と容器部２０との取り付けは、固定式でも着脱式でも良い。底部２４中には、液供給管４の中間部分４２の一部、第１空気供給管６の一部、第２空気供給管７の一部、空気分岐部材８および弁部材９が収納されている。底部２４の下面閉塞部には、電池１４０を収納するための開口部（図示せず）が設けられている。
【００２８】
底蓋部２５は、図１、図７〜図９に示すように、高さが低く上面が開口した中空状の円筒形状をなす。底蓋部２５は、底部２４の下面閉塞部の全周縁に嵌合により着脱可能に取り付けられている。底蓋部２５は、底部２４の下面閉塞部の開口部を閉塞する。
【００２９】
収納部２６は、図１、図１１に示すように、中空状の筒形状をなす。収納部２６は、容器部２０の下面閉塞部に一体に設けられていて、容器部２０中に配置されている。収納部２６中には、エアポンプ５が収納されている。収納部２６中は、容器部２０中に対して水密状態である。
【００３０】
第１管部２７は、図１中の二点鎖線に示すように、中空状の円管形状をなす。第１管部２７は、容器部２０の下面閉塞部に一体に設けられていて、容器部２０中に配置されている。第１管部２７中には、液供給管４および第１空気供給管６が収納されている。第１管部２７中は、容器部２０中に対して水密状態である。また、第１管部２７の上開口端は、容器部２０中の液面１０２よりも上位に位置する。
【００３１】
第２管部２８は、図１中の二点鎖線、図７〜図１１中の実線に示すように、逆Ｕ字形状をなし、かつ、中空状の円管形状をなす。第２管部２８の一端は、容器部２０中の第１管部２７の上開口端に水密に固定されている。第２管部２８の大部分は、容器部２０の外に配置されている。第２管部２８中には、液供給管４および第１空気供給管６が収納されている。第２管部２８は、逆Ｕ字形状をなすので、他端が下に向いている。なお、第２管部２８は、他端が横に向いているＬ字形状、あるいは、他端が上に向いているＩ字形状などであっても良い。すなわち、第２管部２８の形状は、特に限定されない。また、第２管部２８は、第１管部２７と一体構造の物であっても良い。
【００３２】
（噴霧部材３の説明）
噴霧部材３は、図１、図４、図７〜図１１に示すように、第２管部２８の他端に設けられている。噴霧部材３は、液１００を霧状にしてその霧１０３を外部に噴射させる。噴霧部材３は、カバー部３０と、本体部３１と、からなる。
【００３３】
図４に示すように、カバー部３０中には、本体部３１が収納保持されている。カバー部３０は、第２管部２８の他端に取り付けられている。カバー部３０には、液供給管４の一端４０と第１空気供給管６の一端６０とが挿通されている。
【００３４】
本体部３１には、液供給管４の一端４０と第１空気供給管６の一端６０とが接続部材を介して接続されている。本体部３１は、図４に示すように、混合室３２と、液連通路３３と、空気連通路３４と、噴射口３５と、を有する。
【００３５】
混合室３２は、本体部３１のうち、液供給管４の一端４０および第１空気供給管６の一端６０が接続されている端部に対して反対側の端部に設けられている。液連通路３３は、本体部３１のうち、液供給管４の一端４０と混合室３２との間に設けられていて、液供給管４の一端４０と混合室３２と連通させる。空気連通路３４は、本体部３１のうち、第１空気供給管６の一端６０と混合室３２との間に設けられていて、第１空気供給管６の一端６０と混合室３２と連通させる。これにより、混合室３２は、液供給管４および液連通路３３を経て送られた液１００と、第１空気供給管６および空気連通路３４を経て送られた空気１０４とを混合する。噴射口３５は、本体部３１のうち、液供給管４の一端４０および第１空気供給管６の一端６０が接続されている端部に対して反対側の端部に設けられている。また、噴射口３５は、混合室３２のうち、液連通路３３および空気連通路３４に対して反対側において連通している。これにより、噴射口３５は、混合室３２に送られかつ混合された液１００と空気１０４とを霧１０３として外部に噴射させる。
【００３６】
混合室３２は、下混合室３２Ｄと、上混合室３２Ｕと、からなる。下混合室３２Ｄは、円錐台形形状をなす。下混合室３２Ｄの噴射口３５側（下側）の断面積（直径）Ｓ１は、下混合室３２Ｄの液連通路３３および空気連通路３４側（上側）の断面積（直径）Ｓ２よりも小さい。すなわち、下混合室３２Ｄは、断面積が液１００および空気１０４の流れ（進む）方向に徐々に小さくなる先細のノズル形状をなす。上混合室３２Ｕは、一部の円筒形状、すなわち、下混合室３２Ｄの上側の円の一部の筒形状をなす。
【００３７】
液連通路３３は、円錐台形形状をなす。液連通路３３の下混合室３２Ｄ側の出口３３０の断面積（直径）Ｓ３は、液連通路３３の液供給管４側の入口３３１の断面積（直径）Ｓ４よりも小さい。すなわち、液連通路３３は、下混合室３２Ｄと同様に、断面積が液１００の流れ（進む）方向に徐々に小さくなる先細のノズル形状をなす。
【００３８】
空気連通路３４は、円筒形形状をなす。この結果、空気連通路３４の上混合室３２Ｕ側の出口３４０から空気連通路３４の第１空気供給管６側の入口３４１までの断面積（直径）Ｓ５は、一定もしくはほぼ一定である。
【００３９】
液連通路３３の出口３３０の断面積（直径）Ｓ３は、空気連通路３４の出口３４０の断面積（直径）Ｓ５よりも小さい。この例では、約１：２である。液連通路３３の出口３３０から噴射口３５までの距離Ｈ１は、空気連通路３４の出口３４０から噴射口３５までの距離Ｈ２よりも小さい。この例における本体部３１は、上混合室３２Ｕ、液連通路３３および空気連通路３４を有する部分と、下混合室３２Ｄおよび噴射口３５を有する部分との２部品から構成されている。なお、本体部３１としては、１部品から構成されているものであっても良い。
【００４０】
（液供給管４の説明）
液供給管４は、図１〜図４に示すように、円管からなり、ほぼＳ字形状をなす。すなわち、一端４０側の上端部分４Ｕが逆Ｕ字形状をなす。他端４１側の下端部分４ＤがＵ字形状をなす。上端部分４Ｕから下端部分４Ｄまでの右側部分４Ｒが垂直な直線形状をなす。下端部分４Ｄから他端４１までの左側部分４Ｌが垂直な直線形状をなす。
【００４１】
液供給管４の一端４０は、噴霧部材３に接続されている。液供給管４のうち、一端４０から上端部分４Ｕを経て右側部分４Ｒまでの部分は、第１管部２７および第２管部２８中に収納されている。液供給管４の下端部分４Ｄは、底部２４中に収納されている。液供給管４の左側部分４Ｌは、そのまま容器部材２の容器部２０中に収納されている。液供給管４の左側部分４Ｌと容器部２０の下面閉塞部とは、水密に保たれている。
【００４２】
液供給管４の下端部分４Ｄ、右側部分４Ｒおよび左側部分４Ｌは、この例では、中間部分４２とする。このため、この例における液供給管４の中間部分４２のうち左側部分４Ｌの上端が他端４１となる。液供給管４の中間部分４２のうち下端部分４Ｄは、容器部材２の下部分であって、容器部２０の筒部２００に弁部材９を介して接続されている。
【００４３】
液供給管４の中間部分４２は、容器部２０中の液１００を所定量だけ一時的に溜めている。この液１００の所定量は、容器部２０中の液面１０２の高さに応じて変わる。すなわち、容器部２０中の液１００が弁部材９を介して液供給管４の中間部分４２中に入った際に、容器部２０中の液面１０２と液供給管４の右側部分４Ｒおよび左側部分４Ｌ中の液面（図示せず）とは、同一もしくはほぼ同一の水位である。なお、液供給管４の中間部分４２中に溜めている液１００の所定量は、この例では、容器部２０中が液１００で満杯の時に、約２ｍｌである。
【００４４】
液供給管４の一端４０側の少なくとも一部分と他端４１とは、容器部２０中の液面１０２よりも上位に位置する。この少なくとも一部分は、この例では、一端４０から上端部分４Ｕを経て右側部分４Ｒのうち液面１０２に対応する箇所までの部分である。なお、一端４０が液面１０２よりも下位に位置しても良い。液供給管４の一端４０側部分の上端部分４Ｕの断面積（内径）Ｓ６は、液供給管４の中間部分４２の右側部分４Ｒの断面積（内径）Ｓ７よりも小さい。
【００４５】
（エアポンプ５の説明）
エアポンプ５は、駆動モータなどの駆動部５０と、駆動部５０に機械的に接続されているポンプ部５１と、を備える。ポンプ部５１は、この例では、ダイヤフラムポンプである。エアポンプ５は、駆動部５０の駆動によりポンプ部５１が駆動して、空気１０４を、空気分岐部材８を介して、第１空気供給管６および第２空気供給管７中に、送る。エアポンプ５は、容器部材２の収納部２６中に、収納されている。
【００４６】
（制御部材１２の説明）
制御部材１２は、エアポンプ５の駆動を制御するものである。制御部材１２は、図１２に示すように、検出器１２０、１２１と、制御部１２２と、を有する。制御部１２２は、電源スイッチ１４および駆動部５０にそれぞれ電気的に接続されている。
【００４７】
発光部もしくは受光部の検出器１２０は、図９に示すように、噴霧部材３のカバー部３０に設けられている。一方、受光部もしくは発光部の検出器１２１は、図８に示すように、容器部材２の底部２４に設けられている。検出器１２０、１２１は、噴霧部材３に近づいた対象物（この例では、人の手１３）を検出して検出信号を出力する。検出器１２０、１２１は、この例では、透過式の光センサである。光が遮蔽されることにより、手１３を検出する。なお、検出器１２０、１２１としては、手１３を検出するセンサであれば、透過式の光センサ以外のセンサでも良い。
【００４８】
制御部１２２は、底部２４あるいは収納部２６中に収納されている。制御部１２２は、検出器１２０、１２１から出力された検出信号を入力してその検出信号に基づいて、エアポンプ５を駆動させる駆動信号をエアポンプ５に出力する。この結果、エアポンプ５は、検出器１２０、１２１から制御部１２２に検出信号が出力されている間駆動する。
【００４９】
電源スイッチ１４は、容器部材２の底部２４に設けられている。電源スイッチ１４は、電池１４０に電気的に接続されている。電源スイッチ１４は、オン、オフ操作により、電池１４０から制御部材１２およびエアポンプ５への電力の供給、遮断を行う。電池１４０は、底部２４の下面閉塞部の開口部から底部２４中に収納され、かつ、底部２４に着脱可能に取り付けた底蓋部２５により底部２４中に収納保持される。この結果、底蓋部２５を底部２４から取り外すことにより、電池１４０を底部２４中に収納したり、底部２４中の電池１４０を底部２４中から取り出したりすることができる。
【００５０】
（第１空気供給管６、第２空気供給管７の説明）
第１空気供給管６は、図１に示すように、一端６０が噴霧部材３に接続され、他端６１が空気分岐部材８を介してエアポンプ５に接続されている。第１空気供給管６は、エアポンプ５からの空気１０４を噴霧部材３に供給する。第１空気供給管６の一端６０側の部分は、液供給管４の一端４０側の部分と共に、第１管部２７および第２管部２８中に収納されている。
【００５１】
第２空気供給管７は、図１に示すように、一端７０が液供給管４の他端４１に接続され、他端７１が空気分岐部材８を介してエアポンプ５に接続されている。第２空気供給管７は、エアポンプ５からの空気１０４を液供給管４に供給して、液供給管４の中間部分４２中の液１００を噴霧部材３に供給する。第２空気供給管７の一端７０側の部分（垂直な直線部分）は、そのまま容器部材２の容器部２０中に収納されている。第２空気供給管７の一端７０側の部分と容器部２０の下面閉塞部とは、水密に保たれている。第２空気供給管７の一端７０は、容器部２０中の液面１０２よりも上位に位置する。この結果、液供給管４の他端４１と第２空気供給管７の一端７０との接続部分は、容器部２０中の液面１０２よりも上位に位置する。第２空気供給管７の他端７１側の部分（曲線部分）は、底部２４中に収納されている。
【００５２】
第２空気供給管７の断面積Ｓ８は、第１空気供給管６の断面積Ｓ９よりも大きい。この例では、約４：１である。この結果、第２空気供給管７への空気１０４の供給量は、第１空気供給管６への空気１０４の供給量よりも、約４倍多い。なお、第２空気供給管７の断面積Ｓ８と第１空気供給管６の断面積Ｓ９との比は、この例における約４：１以外の比であっても良い。
【００５３】
（空気分岐部材８の説明）
空気分岐部材８は、図１に示すように、エアポンプ５と第１空気供給管６の他端６１および第２空気供給管７の他端７１との接続部分に設けられている。すなわち、空気分岐部材８は、エアポンプ５の空気１０４を送り出す口、第１空気供給管６の他端６１および第２空気供給管７の他端７１にそれぞれ接続されている。空気分岐部材８は、エアポンプ５からの空気１０４を第１空気供給管６と第２空気供給管７とに約１：４の割合で分岐供給させる。
【００５４】
（弁部材９の説明）
弁部材９は、図１〜図３、図５、図６に示すように、ホルダ部９０と、接続管９１と、弁体９２と、からなる。ホルダ部９０は、容器部材２の筒部２００に固定されている。接続管９１は、内外の２重管構造をなす。接続管９１の外管の一端（上端）は、容器部材２の第１管部２７に固定されている。接続管９１の内管の両端は、液供給管４の中間部分４２の下端部分４Ｄと右側部分４Ｒにそれぞれ接続されている。ホルダ部９０および接続管９１には、容器部材２の容器部２０中の液１００を液供給管４中に供給する液通路９３が設けられている。ホルダ部９０と接続管９１は、別部品から構成されている。なお、ホルダ部９０と接続管９１は、１部品から構成されているものであっても良い。
【００５５】
弁体９２は、板形状をなし、ゴム部材などの弾性部材からなる。弁体９２は、円環板形状の固定部９４と、円板形状の可動部９５と、固定部９４と可動部９５を接続する小四角板形状の接続部９６と、から構成されている。固定部９４、可動部９５および接続部９６は、通常、面一の状態にある。固定部９４は、容器部材２の筒部２００の下面とホルダ部９０の上面との間に固定されている。可動部９５は、接続部９６の弾性変形により、固定部９４に対して開閉動して容器部材２の孔２０１を開閉する。すなわち、可動部９５は、エアポンプ５が非駆動時には容器部２０中の液１００の自重で開いて孔２０１を開き、エアポンプ５の駆動時には液通路９３中の液１００もしくは空気１０４の圧力および接続部９６の弾性復帰力で閉じて孔２０１を閉じる。弁体９２は、逆止弁である。
【００５６】
（実施形態１の作用の説明）
この実施形態１にかかるディスペンサ１は、以上のごとき構成からなり、以下、その作用について説明する。
【００５７】
まず、通常状態、すなわち、エアポンプ５が駆動していない状態の時には、図２に示すように、弁部材９の弁体９２（可動部９５）が容器部材２（容器部２０）中の液１００の自重により開いている。このため、容器部２０中の液１００は、弁部材９の液通路９３を通って液供給管４の中間部分４２に所定量（約２ｍｌ）溜められている。
【００５８】
つぎに、電源スイッチ１４をオンにする。この状態において、手１３を噴霧部材３に近づける。すると、検出器１２０、１２１が対象物の手１３を検出し、検出器１２０、１２１が検出信号を制御部１２２に出力し、制御部１２２が入力した検出信号に基づいて駆動信号をエアポンプ５の駆動部５０に出力し、駆動部５０が駆動信号により駆動し、エアポンプのポンプ部５１が駆動する。これにより、空気１０４は、エアポンプ５から空気分岐部材８を介して、第１空気供給管６および第２空気供給管７中に、送られる。
【００５９】
第１空気供給管６中に送られた空気１０４は、噴霧部材３まで送られる。一方、第２空気供給管７中に送られた空気１０４は、液供給管４中に送られ、液供給管４の中間部分４２中の液１００を、液供給管４の他端４１側から液供給管４の一端４０側の噴霧部材３まで圧送する。なお、この時には、開いていた弁体９２（可動部９５）が、図３に示すように、閉じる。これにより、空気１０４が弁部材９の液通路９３を通って容器部２０中に入るのを防ぐことができる。
【００６０】
噴霧部材３に送られた液１００は、噴霧部材３において、ノズル形状の液連通路３３の出口３３０から下混合室３２Ｄに流速を上げながら空気１０４よりも先に送られる。この時、液１００の一部は、霧１０３となる。一方、噴霧部材３に送られた空気１０４は、噴霧部材３において、空気連通路３４の出口３４０から上混合室３２Ｕを経て下混合室３２Ｄに送られる。
【００６１】
下混合室３２Ｄにそれぞれ送られた液１００と空気１０４とは、ノズル形状の下混合室３２Ｄにおいて、相互に混合されて、液１００は、霧１０３となる。霧１０３は、ノズル形状の下混合室３２Ｄの噴射口３５から外部の手１３に向かって流速を上げながら所定量噴射される（図７参照）。これにより、手１３は、この例の消毒用アルコールの液１００により、消毒される。なお、手１３に当たらなかった霧１０３は、トレー１１の受凹部１１１に受けられる。このため、周囲を霧１０３で汚すことがない。
【００６２】
そして、消毒が済んだ時点で、手１３を噴霧部材３から離す。すると、今まで対象物の手１３を検出していた検出器１２０、１２１が対象物の手１３を検出しなくなる。この結果、検出器１２０、１２１から制御部１２２への検出信号の出力が停止し、制御部１２２からエアポンプ５の駆動部５０への駆動信号の出力が停止し、駆動部５０の駆動が停止し、ポンプ部５１の駆動も停止する。これにより、エアポンプ５から空気分岐部材８を介して第１空気供給管６および第２空気供給管７中への空気１０４の供給が停止され、噴霧部材３から手１３に向けての霧１０３の噴射が停止する。
【００６３】
このように、手１３を噴霧部材３に近づけた時点から手１３を噴霧部材３から離した時点までの時間、検出器１２０、１２１が手１３を検出し、エアポンプ５が駆動し、噴霧部材３から霧１０３が手１３に噴射される。このため、手１３を噴霧部材３に入れ出しする時間を任意に調整することで、手１３に噴射させる霧１０３の量を任意に調整することができる。この結果、検出器１２０、１２１が手１３を検出する時間に基づいて、所定量（約２ｍｌ）以内において任意の量の液１００が霧１０３として噴射される。なお、この例においては、エアポンプ５が約１秒間駆動することにより、約０．５ｍｌの量の液１００が霧１０３として噴射される。この結果、エアポンプ５が約４秒間駆動すると、所定量（約２ｍｌ）の液１００が霧１０３として噴射される。
【００６４】
霧１０３の噴射が停止した時、液供給管４の上端部分４Ｕおよび右側部分４Ｒ中に液１００が残っていると、その液１００の自重により、上端部分４Ｕおよび右側部分４Ｒ中の液１００が液供給管４の中間部分４２側に戻る。それに伴って、液１００を圧送していた空気１０４は、第２空気供給管７、空気分岐部材８、第１空気供給管６および噴霧部材３を経て外部に排出される。この結果、噴霧部材３から液１００が垂れるのを防ぐことができる。
【００６５】
エアポンプ５の駆動が停止すると、前記の通り、容器部２０中の液１００が弁部材９を介して液供給管４の中間部分４２中に所定量供給される。そして、検出器１２０、１２１が対象物の手１３を再び検出すると、前記の通り、噴霧部材３から霧１０３が手に向かって噴射される。このようにして、容器部２０中の液１００が噴霧部材３から霧１０３として噴射され続けると、容器部２０中の液１００の量が減少する。これにより、容器部２０中の液面１０２が低下するので、液供給管４の中間部分４２中に溜められている液１００の所定量も減少する。この時、容器部材２外の空気（大気）が、容器部２０と密閉蓋部２１との間の隙間、密閉蓋部２１と外蓋部２３との間の隙間および密閉蓋部２１と内蓋部２２との間の隙間を経て、容器部２０中の液面１０２よりも上方の空間中に流入する。このため、容器部２０中は、大気圧と同等もしくはほぼ同等の圧力が維持される。
【００６６】
容器部２０中の液１００の量が減少したところで、容器部２０中に液１００を補充する。その場合、まず、容器部２０から外蓋部２３を取り外す（図１０参照）。それから、密閉蓋部２１から内蓋部２２を取り外し、かつ、容器１０１中の液１００を密閉蓋部２１の注入口２１１から容器部２０中に注入する（図１１参照）。それから、容器部２０中の液面１０２が注入口２１１の下側の縁に達すると、容器部２０中が液１００で満杯状態となる。この状態で、密閉蓋部２１の注入口２１１に内蓋部２２を取り付け、かつ、容器部２０に外蓋部２３を取り付ける（図８参照）。これにより、液１００の補充が完了し、噴霧部材３から霧１０３を手に向かって噴射させることができる。
【００６７】
ここで、図９に示すように、本体１０をトレー１１の嵌合凹部１１０から取り外すことができる。トレー１１から取り外した本体１０を持って噴霧部材３を対象物（手１３以外の対象物）に近づけて、検出器１２０、１２１が対象物を検出すると、噴霧部材３から霧１０３を対象物に噴射させることができる。このように、霧１０３を噴射させたい対象物を手１３以外の対象物に広げることができる。
【００６８】
（実施形態１の効果の説明）
この実施形態１にかかるディスペンサ１は、以上のごとき構成および作用からなり、以下、その効果について説明する。
【００６９】
この実施形態１にかかるディスペンサ１は、制御部材１２の制御によりエアポンプ５を駆動させて、液供給管４の中間部分４２中に所定量（約２ｍｌ）溜められている液１００を、霧１０３として噴射させるものである。このため、この実施形態１にかかるディスペンサ１は、制御部材１２の制御によるエアポンプ５の駆動時間に基づいて、液供給管４の中間部分４２中に溜められている所定量（約２ｍｌ）以内において任意の量の液１００を霧１０３として噴射させることができる。すなわち、この実施形態１にかかるディスペンサ１は、所定量以内において任意の量の液１００を噴射させることができる。
【００７０】
この実施形態１にかかるディスペンサ１は、エアポンプ５からの空気１０４を、空気分岐部材８を介して、２系統の第１空気供給管６と第２空気供給管７とに、それぞれ分岐させ、一方の系統の第２空気供給管７の空気１０４で、液供給管４の中間部分４２中に溜められている液１００を噴霧部材３に供給し、かつ、他方の系統の第１空気供給管６の空気１０４で、液１００を噴霧部材３から霧１０３として噴射させるものである。このため、この実施形態１にかかるディスペンサ１は、所定量以内において任意の量の液１００を、確実に霧１０３として噴射させることができる。しかも、この実施形態１にかかるディスペンサ１は、噴霧部材３に液１００と空気１０４とを供給して、噴霧部材３から霧１０３を噴射させるものであるから、使用する液１００がこの例の揮発性を有する消毒用アルコールの場合、液１００を霧１０３とするのに最適である。
【００７１】
この実施形態１にかかるディスペンサ１は、図１に示すように、第２空気供給管７の断面積Ｓ８が第１空気供給管６の断面積Ｓ９よりも大きい。この例では、第２空気供給管７の断面積Ｓ８と第１空気供給管６の断面積Ｓ９との比が約４：１であり、第２空気供給管７への空気１０４の供給量は、第１空気供給管６への空気１０４の供給量よりも、約４倍多い。このため、この実施形態１にかかるディスペンサ１は、第２空気供給管７中の空気１０４により、液供給管４の中間部分４２中に一時溜められている液１００を噴霧部材３に効率良く送ることができる。一方、第１空気供給管６中の空気１０４により、液１００を噴霧部材３から霧１０３として効率良く噴射させることができる。なお、第２空気供給管７の断面積Ｓ８と第１空気供給管６の断面積Ｓ９の比の相対関係は、いろいろな比を試した結果、約４：１が最も効率が良く液１００を噴霧部材３に送ることができる。無論、第２空気供給管７の断面積Ｓ８と第１空気供給管６の断面積Ｓ９との比は、この例における約４：１以外の比であっても良い。
【００７２】
この実施形態１にかかるディスペンサ１は、図１に示すように、液供給管４の一端４０側の少なくとも一部分（この例では、一端４０から上端部分４Ｕを経て右側部分４Ｒのうち液面１０２に対応する箇所までの部分）が、容器部材２の容器部２０中の液面１０２よりも上位に位置する。このため、この実施形態１にかかるディスペンサ１は、容器部２０中から弁部材９を介して液供給管４の中間部分４２中に供給された液体１００が、その中間部分４２中から右側部分４Ｒ中のうち液面１０２に対応する箇所よりも上位に位置することがない。この結果、この実施形態１にかかるディスペンサ１は、中間部分４２中の液体１００が、液供給管４の液面１０２よりも上位に位置する部分を通って噴霧部材３から漏れるのを防ぐことができる。
【００７３】
この実施形態１にかかるディスペンサ１は、図１に示すように、液供給管４の他端４１と第２空気供給管７の一端７０との接続部分が、容器部材２の容器部２０中の液面１０２よりも上位に位置する。このため、この実施形態１にかかるディスペンサ１は、容器部２０中から弁部材９を介して液供給管４の中間部分４２中に供給された液体１００が、その中間部分４２中から左側部分４Ｌ中のうち液面１０２に対応する箇所よりも上位に位置することがない。この結果、この実施形態１にかかるディスペンサ１は、中間部分４２中の液体１００が、液供給管４の液面１０２よりも上位に位置する部分を通って第２空気供給管７中に流入するのを防ぐことができる。しかも、この実施形態１にかかるディスペンサ１は、容器部２０中の液１００が液供給管４の他端４１と第２空気供給管７の一端７０との接続部分から液供給管４中や第２空気供給管７中に浸入したりするのを防ぐことができる。
【００７４】
この実施形態１にかかるディスペンサ１は、図１に示すように、液供給管４の一端４０側部分の断面積Ｓ６が液供給管４の中間部分４２の断面積Ｓ７よりも小さい。このため、この実施形態１にかかるディスペンサ１は、液供給管４の一端４０側部分中を圧送される液１００の流速が液供給管４の中間部分４２中を圧送される液１００の流速よりも速い。この結果、この実施形態１にかかるディスペンサ１は、噴霧部材３に圧送される液１００の流速が第１空気供給管６を経て噴霧部材３に送られる空気１０４の流速よりも速い。これにより、この実施形態１にかかるディスペンサ１は、空気１０４と、流速が空気１０４の流速よりも速い液１００とにより、噴霧部材３から良好な霧１０３（細かい霧１０３）を噴射させることができる。なお、液供給管４の一端４０側部分の断面積Ｓ６と中間部分４２の断面積Ｓ７の大小の相対関係は、いろいろ試した結果、一端４０側部分の断面積Ｓ６が中間部分４２の断面積Ｓ７より小さい相対関係のものが良好な霧１０３（細かい霧１０３）を噴射させるのに適している。
【００７５】
この実施形態１にかかるディスペンサ１は、図４に示すように、噴霧部材３の混合室３２であって下混合室３２Ｄ（以下、単に「混合室３２」と称する）の噴射口３５側の断面積Ｓ１が混合室３２の液連通路３３および空気連通路３４側の断面積Ｓ２よりも小さい。すなわち、混合室３２がノズル形状をなしている。このため、この実施形態１にかかるディスペンサ１は、混合室３２において混合された液１００と空気１０４とを、噴霧部材３の噴射口３５から良好な霧１０３（細かい霧１０３）として噴射させることができる。
【００７６】
実施形態１にかかるディスペンサ１は、図４に示すように、液連通路３３の混合室３２側の出口３３０の断面積Ｓ３が、液連通路３３の液供給管４側の入口３３１の断面積Ｓ４よりも小さい。すなわち、液連通路３３が混合室３２と同様にノズル形状をなしている。このため、この実施形態１にかかるディスペンサ１は、液連通路３３の出口３３０から下混合室３２Ｄに送られる液１００の流速が、空気連通路３４の出口３４０から上混合室３２Ｕを経て下混合室３２Ｄに送られる空気１０４の流速よりも速い。この結果、この実施形態１にかかるディスペンサ１は、下混合室３２Ｄに流速を上げながら空気１０４よりも先に送られた液１００が良好な霧１０３（細かい霧１０３）となる。しかも、この実施形態１にかかるディスペンサ１は、ノズル形状の液連通路３３とノズル形状の下混合室３２Ｄとの２重のノズル構造により、液１００と空気１０４とを、液連通路３３と下混合室３２Ｄとを経て、噴霧部材３の噴射口３５から良好な霧１０３（細かい霧１０３）として噴射させることができる。
【００７７】
実施形態１にかかるディスペンサ１は、図４に示すように、液連通路３３の混合室３２側の出口３３０の断面積Ｓ３が、空気連通路３４の混合室３２（上混合室３２Ｕ）側の出口３４０の断面積Ｓ５よりも小さい。この例では、約１：２である。このため、この実施形態１にかかるディスペンサ１は、液連通路３３の出口３３０から下混合室３２Ｄ中に送られる液１００の量が、空気連通路３４の出口３４０から上混合室３２Ｕを経て下混合室３２Ｄ中に送られる空気１０４の量よりも少ない。この結果、この実施形態１にかかるディスペンサ１は、液１００と空気１０４とを、下混合室３２Ｄにおいて、最適な量の混合比で混合させて、噴霧部材３の噴射口３５から良好な霧１０３（細かい霧１０３）として噴射させることができる。なお、液連通路３３の出口３３０の断面積Ｓ３と空気連通路３４の出口３４０の断面積Ｓ５の大小の相対関係は、いろいろ試した結果、液連通路３３の出口３３０の断面積Ｓ３が空気連通路３４の出口３４０の断面積Ｓ５より小さい相対関係のものが良好な霧１０３（細かい霧１０３）を噴射させるのに適している。
【００７８】
実施形態１にかかるディスペンサ１は、図４に示すように、液連通路３３の混合室３２側の出口３３０から噴射口３５までの距離Ｈ１が、空気連通路３４の混合室３２側の出口３４０から噴射口３５までの距離Ｈ２よりも小さい。このため、この実施形態１にかかるディスペンサ１は、液連通路３３の出口３３０から送られた液１００が空気連通路３４の出口３４０から送られた液１０４よりも速く噴射口３５に達する。この結果、この実施形態１にかかるディスペンサ１は、空気１０４よりも先に噴射口３５に達した液１００が噴射口３５から良好な霧１０３（細かい霧１０３）として噴射される。しかも、この実施形態１にかかるディスペンサ１は、液連通路３３の出口３３０から下混合室３２Ｄ中に送られる液１００の量が、空気連通路３４の出口３４０から上混合室３２Ｕを経て下混合室３２Ｄ中に送られる空気１０４の量よりも少ないこととの相乗効果により、噴霧部材３の噴射口３５から良好な霧１０３（細かい霧１０３）を噴射させることができる。なお、液連通路３３の出口３３０から噴射口３５までの距離Ｈ１と空気連通路３４の出口３４０から噴射口３５までの距離Ｈ２の大小の相対関係は、いろいろ試した結果、液連通路３３の出口３３０から噴射口３５までの距離Ｈ１が空気連通路３４の出口３４０から噴射口３５までの距離Ｈ２より小さい相対関係のものが良好な霧１０３（細かい霧１０３）を噴射させるのに適している。
【００７９】
実施形態１にかかるディスペンサ１は、噴霧部材３に近づいた対象物としての手１３を検出して検出信号を出力する検出器１２０、１２１と、検出器１２０、１２１から出力された検出信号を入力して検出信号に基づいて、エアポンプ５を駆動させる駆動信号をエアポンプ５に出力する制御部１２２と、を備える。このため、この実施形態１にかかるディスペンサ１は、検出器１２０、１２１が対象物としての手１３を検出すると、噴霧部材３から霧１０３が手１３に噴射されるので、ディスペンサ１に非接触状態で使用することができる。しかも、この実施形態１にかかるディスペンサ１は、検出器１２０、１２１が対象物としての手１３を検出している間、エアポンプ５が制御部材１２の制御により駆動するので、検出器１２０、１２１が手１３を検出している時間、すなわち、手１３を噴霧部材３に入れ出しする時間を任意に調整することで、手１３に噴射させる霧１０３の量を任意に調整することができる。これにより、実施形態１にかかるディスペンサ１は、所定量（約２ｍｌ）以内において任意の量の液１００を、正確にかつ確実に、霧１０３として噴霧部材３から手１３に向かって噴射させることができる。
【００８０】
（実施形態２の構成の説明）
図１３は、この発明にかかるディスペンサの実施形態２を示す。以下、この実施形態２にかかるディスペンサ１Ａの構成について説明する。図中、図１〜図１２と同符号は、同一のものを示す。なお、図１３中においては、検出器や手などが図示されていない。
【００８１】
前記の実施形態１にかかるディスペンサ１は、液１００を霧状にして噴射させるものである。これに対して、この実施形態２にかかるディスペンサ１Ａは、液１００Ａを泡状にして吐出させるものである。この実施形態２にかかるディスペンサ１Ａに使用される液１００Ａは、泡シャンプー、泡ハンドソープ、泡ボディソープ、泡食器用洗剤、泡日用品用洗剤、泡車両用洗剤、泡虫よけ剤、泡殺虫剤、子供お遊び用（３Ｄアート用）の泡ハンドソープ、あるいは、希釈液体（なお、希釈倍率は、例えば、３〜５倍であるが、特に限定しない）などである。
【００８２】
この実施形態２にかかるディスペンサ１Ａは、前記の実施形態１にかかるディスペンサ１において、第１空気開閉弁１５Ａと、第２空気開閉弁１６Ａと、泡供給管１７Ａと、液切換弁１８Ａと、泡吐出部材１９Ａと、を備える。
【００８３】
第１空気開閉弁１５Ａは、空気分岐部材８のうちエアポンプ５に対して反対側、この例では、空気分岐部材８と第１空気供給管６の他端６１との間、に設けられている。第１空気開閉弁１５Ａは、開状態の時には、エアポンプ５からの空気１０４を空気分岐部材８を介して第１空気供給管６と第２空気供給管７とに分岐させる。また、第１空気開閉弁１５Ａは、閉状態の時には、エアポンプ５からの空気１０４を第１空気供給管６に送らずに第２空気供給管７のみに送る。
【００８４】
第２空気開閉弁１６Ａは、容器部材２の容器部２０中の液面１０２よりも上位に位置する液供給管４の他端４１と第２空気供給管７の一端７０との接続部分、この例では、液供給管４の他端４１側、に設けられている。第２空気開閉弁１６Ａは、閉状態の時には、容器部２０中と液供給管４中および第２空気供給管７中とが非連通状態である。第２空気開閉弁１６Ａは、開状態の時には、容器部２０中と液供給管４中および第２空気供給管７中とが連通状態である。第２空気開閉弁１６Ａは、開状態の時において、容器部２０中、液供給管４中および第２空気供給管７中の圧力を調整する。すなわち、エアポンプ５の駆動時には、エアポンプ５からの空気１０４の大部分が液供給管４中に供給されて液供給管４の中間部分４２中の液１００Ａと混同して泡１０５となり、その泡１０５が泡吐出部材１９Ａに送られる。また、エアポンプ５の非駆動時には、主に液供給管４中の空気１０４が容器部２０中に抜けて、泡吐出部材１９Ａ中の泡１０５が液供給管４中に戻されて泡吐出部材１９Ａから外部に垂れ落ちる（漏れる）のを防ぐことができる。なお、第２空気開閉弁１６Ａは、第２空気供給管７の一端７０側に設けても良い。
【００８５】
泡供給管１７Ａは、一端が、液供給管４の中間部分４２から一端４０までの部分であって容器部２０中の液面１０２よりも上位に位置する箇所に、接続されている。この箇所は、この例では、液供給管４の右側部分４Ｒのうち上端部分４Ｕに近接する箇所である。
【００８６】
液切換弁１８Ａは、液供給管４と泡供給管１７Ａとの接続部分に設けられている。液切換弁１８Ａは、第１位置に切り換えられた時には、液供給管４の中間部分４２中の液１００を液供給管４の上端部分４Ｕ中に供給する。液切換弁１８Ａは、第２位置に切り換えられた時には、液供給管４の中間部分４２中において液１００Ａと空気１０４との混合により発泡した泡１０５を泡供給管１７Ａ中に供給する。
【００８７】
泡吐出部材１９Ａは、泡供給管１７Ａの他端に設けられている。泡吐出部材１９Ａは、泡供給管１７Ａからの泡１０５を外部に吐出させる。泡吐出部材１９Ａは、１個もしくは複数個のメッシュフィルタなどの発泡部材（図示せず）を有する。発泡部材は、泡１０５の径を調整して、細やかな泡１０５を得ることができる。
【００８８】
（実施形態２の作用の説明）
この実施形態２にかかるディスペンサ１Ａは、以上のごとき構成からなり、以下、その作用について説明する。
【００８９】
まず、第１空気開閉弁１５Ａを開状態とし、第２空気開閉弁１６Ａを閉状態とし、液切換弁１８Ａを第１位置に切り換えた状態とする。すると、前記の実施形態１にかかるディスペンサ１の作用に示すように、噴霧部材３から霧１０３が噴射される。
【００９０】
つぎに、第１空気開閉弁１５Ａを閉状態とし、第２空気開閉弁１６Ａを開状態とし、液切換弁１８Ａを第２位置に切り換えた状態とする。ここで、検出器１２０、１２１が手１３を検出すると、制御部１２２の制御により、エアポンプ５が駆動して、空気１０４が空気分岐部材８を経て第２空気供給管７のみに送られる。第２空気供給管７のみに送られた空気１０４は、液供給管４中に供給され、液供給管４の中間部分４２中に所定量一時溜められている液１００Ａと混合する。混合した空気１０４と液１００Ａとは、液供給管４の中間部分４２中において発泡して泡１０５となる。
【００９１】
液供給管４の中間部分４２中の泡１０５は、液切換弁１８Ａを経て泡供給管１７Ａ中に供給され、かつ、泡供給管１７Ａを経て泡吐出部材１９Ａに供給される。泡吐出部材１９Ａに供給された泡１０５は、泡吐出部材１９Ａにおいて発泡部材により細やかな泡１０５となり、泡吐出部材１９Ａから外部に吐出される。この泡１０５の泡吐出部材１９Ａからの吐出量は、前記の実施形態１にかかるディスペンサ１と同様に、液供給管４の中間部分４２中に溜められている液１００Ａの所定量（約２ｍｌ）以内における任意の量である。
【００９２】
エアポンプ５の駆動が停止すると、液供給管４の右側部分４Ｒ中および泡供給管１７Ａ中に泡１０５が残っていると、その泡１０５の自重により、液供給管４の右側部分４Ｒ中および泡供給管１７Ａ中に泡１０５が液供給管４の中間部分４２側に戻る。それに伴って、液１００Ａを圧送していた空気１０４は、第２空気開閉弁１６Ａを経て容器部材２の容器部２０中に排出される。なお、このとき、若干の泡１０５が、空気１０４と共に、第２空気開閉弁１６Ａを経て容器部２０中に排出される。この結果、泡吐出部材１９Ａから泡１０５が垂れるのを防ぐことができる。
【００９３】
なお、容器部材２の容器部２０中の液１００Ａが弁部材９を介して液供給管４の中間部分４２中に所定量供給される作用、容器部２０中に液１００Ａを補充する作用などは、前記の実施形態１にかかるディスペンサ１の作用の通りである。
【００９４】
（実施形態２の効果の説明）
この実施形態２にかかるディスペンサ１Ａは、以上のごとき構成および作用からなり、以下、その効果について説明する。
【００９５】
この実施形態２にかかるディスペンサ１Ａは、第１空気開閉弁１５Ａ、第２空気開閉弁１６Ａおよび液切換弁１８Ａの操作により、前記の実施形態１にかかるディスペンサ１のように、噴霧部材３から手１３に向けて霧１０３を噴射させることができ、かつ、泡吐出部材１９Ａから手１３に向けて泡１０５を吐出させることができる。しかも、この実施形態２にかかるディスペンサ１Ａは、霧１０３を噴射させる場合においては無論のこと、泡１０５を吐出させる場合においても、前記の実施形態１にかかるディスペンサ１とほぼ同様の効果を達成することができる。
【００９６】
（実施形態１、２以外の発明の説明）
なお、この発明は、前記の実施形態１、２により限定されるものではない。たとえば、泡１０５のみを吐出させるものであっても良い。この場合は、前記の実施形態２において、噴霧部材３、液供給管４の上端部分４Ｕ、第１空気供給管６、空気分岐部材８、第１空気開閉弁１５Ａ、第２空気開閉弁１６Ａおよび液切換弁１８Ａが不要である。一方、液供給管４の他端４１と第２空気供給管７の一端７０との接続部分に、容器部材２の容器部２０中と液供給管４中および第２空気供給管７中とが連通する圧力調整用の空気孔（第２空気開閉弁１６Ａの代用）を設ける必要がある。
【００９７】
また、前記の実施形態１、２においては、検出器１２０、１２１が手１３を検出している間、エアポンプ５が制御部材１２の制御により駆動し、所定量（約２ｍｌ）以内において任意の量の液１００を霧１０３として噴霧部材３から手１３に噴射させるものである。しかしながら、この発明においては、制御部材１２にタイマーなどを設けて、検出器１２０、１２１が手１３を検出した時に、エアポンプ５をタイマーなどで設定された時間駆動させるものであっても良い。タイマーなどにより設定されたエアポンプ５の１回の駆動時間は、任意に設定することができ、例えば、約１秒である。なお、約１秒以外の駆動時間であっても良い。また、エアポンプ５の１回の約１秒の駆動時間により、液１００は、所定量の約２ｍｌ以内の任意の量、例えば、約０．５ｍｌの量、霧１０３として噴射される。なお、約０．５ｍｌ以外の量であっても良い。
【００９８】
さらに、前記の実施形態１、２においては、検出器１２０、１２１と、制御部１２２と、を有する制御部材１２により、霧１０３、泡１０５を自動的に噴射、吐出させることができるものである。しかしながら、この発明においては、制御部材１２の代わりに手動スイッチを使用して、霧１０３、泡１０５を手動的に噴射、吐出させても良い。この場合においても、手動スイッチのオンオフの操作時間を調整することにより、所定量以内において任意の量の霧１０３、泡１０５を噴射あるいは吐出させることができる。しかも、タイマーなどを使用することにより、タイマーなどで設定された時間に基づいて、所定量以内において任意の量の霧１０３、泡１０５を噴射あるいは吐出させることができる。
【００９９】
さらにまた、前記の実施形態１、２においては、電源として電池１４０を使用するものである。しかしながら、この発明においては、電源として電池１４０を使用せずに、いわゆる、家庭用電源であっても良い。
【０１００】
さらにまた、前記の実施形態１、２においては、液供給管４の中間部分４２中に溜めている液１００、１００Ａの所定量が、容器部材２の容器部２０中が液１００、１００Ａで満杯の時に、約２ｍｌである。しかしながら、この発明においては、液１００、１００Ａの所定量が約２ｍｌ以外の所定量であっても良い。また、液供給管４の中間部分４２中に溜める液１００、１００Ａの所定量や噴霧部材３から噴射させる霧１０３の量や泡吐出部材１９Ａから吐出させる泡１０５の量は、容器部材２、液供給管４、第１空気供給管６および第２空気供給管７の寸法やエアポンプ５の能力などにより任意に調整することができる。
【０１０１】
さらにまた、前記の実施形態１、２においては、液供給管４、エアポンプ５、第１空気供給管６および第２空気供給管７が容器部材２の容器部２０中に配置もしくは収納されているものである。しかしながら、この発明においては、液供給管４、エアポンプ５、第１空気供給管６および第２空気供給管７を、容器部材２の容器部２０の外側すなわち容器部材２の外側に、配置しても良い。また、この発明においては、容器部材２に、液１００、１００Ａを入れる容器部２０と、液供給管４、エアポンプ５、第１空気供給管６および第２空気供給管７を収容する収容部とを、別個に区画して設けたものでも良い。すなわち、容器部材の一部の容器部２０中に液１００、１００Ａを入れ、容器部材の一部の収容部中に液供給管４、エアポンプ５、第１空気供給管６および第２空気供給管７を収容するものであっても良い。
【符号の説明】
【０１０２】
１、１Ａ…ディスペンサ、１０…本体、１１…トレー、１１０…嵌合凹部、１１１…受凹部、１２…制御部材、１２０、１２１…検出器、１２２…制御部、１３…手、１４…電源スイッチ、１４０…電池、２…容器部材、２０…容器部、２００…筒部、２０１…孔、２１…密閉蓋部、２１０…凸部、２１１…注入口、２２…内蓋部、２３…外蓋部、２３０…切欠、２４…底部、２５…底蓋部、２６…収納部、２７…第１管部、２８…第２管部、３…噴霧部材、３０…カバー部、３１…本体部、３２…混合室、３２Ｕ…上混合室、３２Ｄ…下混合室、３３…液連通路、３３０…出口、３３１…入口、３４…空気連通路、３４０…出口、３４１…入口、３５…噴射口、４…液供給管、４０…一端、４１…他端、４２…中間部分、４Ｄ…下端部分、４Ｌ…左側部分、４Ｒ…右側部分、４Ｕ…上端部分、５…エアポンプ、５０…駆動部、５１…ポンプ部、６…第１空気供給管、６０…一端、６１…他端、７…第２空気供給管、７０…一端、７１…他端、８…空気分岐部材、９…弁部材、９０…ホルダ、９１…接続管、９２…弁体、９３…液通路、９４…固定部、９５…可動部、９６…接続部、１００、１００Ａ…液、１０１…容器、１０２…液面、１０３…霧、１０４…空気、１０５…泡、１５Ａ…第１空気開閉弁、１６Ａ…第２空気開閉弁、１７Ａ…泡供給管、１８Ａ…液切換弁、１９Ａ…泡吐出部材、Ｈ１、Ｈ２…距離、Ｓ１〜Ｓ９…断面積。
【図１】
2018083133.tif 000003
【図２】
2018083133.tif 000004
【図３】
2018083133.tif 000005
【図４】
2018083133.tif 000006
【図５】
2018083133.tif 000007
【図６】
2018083133.tif 000008
【図７】
2018083133.tif 000009
【図８】
2018083133.tif 000010
【図９】
2018083133.tif 000011
【図１０】
2018083133.tif 000012
【図１１】
2018083133.tif 000013
【図１２】
2018083133.tif 000014
【図１３】
2018083133.tif 000015